(57)【特許請求の範囲】
【請求項１】
視覚的に演出されるツリー型装飾装置において、
基体上に立設された支柱と、
前記支柱に多段に配置され、全体としての外形が略錐体形に配置される複数の床部材と、
前記各床部材に、当該床部材への入口を備え、
少なくとも一部が透光性を有する部材で装置の外面が形成されることを特徴とするツリー型装飾装置。
【請求項２】
前記基体が、
支柱を立設する回転板と、当該回転板を回転駆動する駆動モータと、
前記駆動モータの回転軸に装着されて、回転軸の駆動トルクが所定値以上になると駆動モータからの回転動力が前記回転板に伝達されないようにするトルクリミッタと、
前記ツリー型装飾装置の電飾部材に電力を供給するスリップリングを備える、請求項１に記載のツリー型装飾装置。
【請求項３】
前記床部材が、前記支柱に支持される複数のビームと、当該各ビーム先端に支持される円環とを備え、
前記円環が、前記支柱上端付近から支持される請求項１または２に記載のツリー型装飾装置。
【請求項４】
前記ツリー型装飾装置の一部に衝撃吸収材を被覆し、当該衝撃吸収材表面にゴム樹脂を塗布した請求項１から３いずれか一項に記載のツリー型装飾装置。
【請求項５】
前記衝撃吸収材がウレタンであり、当該衝撃吸収材に電飾部材を備えた請求項４に記載のツリー型装飾装置。
【発明の詳細な説明】
【技術分野】
【０００１】
本発明は、装飾装置に関し、特に、クリスマス等のイベントの際に設置されるツリー型装飾装置である。
【背景技術】
【０００２】
従来、室外及び、室内に設置される装飾装置には、下記特許文献１に示すように、その周囲を光等でデコレートされたツリー型装飾装置が使用されている。これらのツリー型装飾装置には、自然木のモミの木や、これをプラスチック、光ファイバー等で造花状に形成し、イルミネーションを装飾装置の外周に配設することがなされている。
【先行技術文献】
【特許文献】
【０００３】
【特許文献１】特開平１１−２９９６３５号公報
【発明の概要】
【発明が解決しようとする課題】
【０００４】
従来技術のツリー型装飾装置は、外部から観賞するための目的で装飾が施されており、装飾装置の内部については考慮されていなかった。クリスマスツリーの内部空間を利用（例えば内部に人が入れる空間を形成）しようとすると、内部の人を含めた全体の荷重を考えて、装飾装置を設置する必要があるからである。
一方、イベント等で、内部まで利用することができる装飾装置を使用すると、イベントの雰囲気が盛り上がるので、当該装飾装置を使用したいとする装置設置者も多いと考えられる。本発明は、内部まで利用可能な装飾装置の提供を目的とする。
【課題を解決するための手段】
【０００５】
上記課題を達成するための本発明は、視覚的に演出されるツリー型装飾装置を前提とする。そして、本発明のツリー型装飾装置は、基体上に立設された支柱と、複数の床部材と、透光性を有する部材を備える。
複数の床部材は、支柱に多段に配置され、全体としての外形が略錐体形に配置される。更に、各床部材には、当該床部材への入口を備える。ツリー型装飾装置の外面の少なくとも一部が透光性を有する部材で形成されることを特徴とする。
【０００６】
上記の構成であれば、視覚的に演出されるツリー型装飾装置に、入口を備えた床部材を多段に配置しているので、上方に配置された床部材へ上記入口を介して移動できる。したがって、装飾装置内部にユーザが入ることが可能となり、イベント等が華やかに盛り上がることになる。上記床部材の上面視形状は、円形、矩形等任意である。
上記の構成において、基体が、上記支柱を立設する回転板と、駆動モータと、トルクリミッタと、スリップリングとを備える構成を採用することができる。駆動モータは、上記回転板を回転駆動し、トルクリミッタは、駆動モータの回転軸に装着されて、回転軸の駆動トルクが所定値以上になると駆動モータからの回転動力が回転板に伝達されないようになっている。更に、スリップリングが、ツリー型装飾装置の電飾部材に電力を供給する。
【０００７】
上記の構成であれば、トルクリミッタにより、駆動モータに必要以上の駆動トルクが加わるのを防止し、スリップリングにより、ツリー型装飾装置が回転しても、装置の電飾部材に電力を供給することができる。
上記の構成において、床部材が、支柱に支持される複数のビームと、当該各ビーム先端に支持される円環とを備え、円環が、支柱上端付近から支持される構成を採用することができる。この場合、複数の床部材は、全体としての外形が略円錐体形に配置されることになる。
【０００８】
上記の構成において、ツリー型装飾装置の一部に衝撃吸収材を被覆し、当該衝撃吸収材表面にゴム樹脂を塗布することで、装置表面を撥水加工した衝撃吸収材で被覆することが可能となる。上記衝撃吸収材は、ウレタンを採用すると加工が容易である。
【発明の効果】
【０００９】
本発明のツリー型装飾装置によると、支柱周りに、全体の形状が略錐体形になるように床部材を配置し、当該各床部材に入口を備えているので、上方に配置された床部材へは、当該床部材に備えた入口から移動できる。したがって、装置内部に登ることが可能な装飾装置を提供することが可能となる。
【図面の簡単な説明】
【００１０】
【図１】本発明の実施形態に係るツリー型装飾装置の全体構成を示す図である。
【図２】本発明の実施形態に係るツリー型装飾装置の正面図及び上面図である。
【図３】本発明の実施形態に係るツリー型装飾装置の床部材の一例を示す図である。
【図４】本発明の実施形態に係るツリー型装飾装置の回転基体の一例を示す図である。
【図５】本発明の実施形態に係るツリー型装飾装置の使用状態の一例を示す図である。
【図６】本発明の実施形態に係るツリー型装飾装置の使用状態の一例を示す図である。
【発明を実施するための形態】
【００１１】
以下に、本発明のツリー型装飾装置１００について図面を参照して説明する。図１は、本発明のツリー型装飾装置１００の概略模式図であり、図２は、正面図及び、上面図、そして、図３が、後述の円環１３０の詳細図である。ただし、本発明に直接には関係しない各部の詳細は省略している。
本発明のツリー型装飾装置１００は、装飾的効果とともに、ツリー内部に登ることが可能である。すなわち、図１に示すように、本発明のツリー型装飾装置１００は、基体１１０に配置される支柱１２０と、当該支柱１２０周りに設けられる床部材１３０とを備える。
【００１２】
まず、基体１１０に、本発明のツリー型装飾装置１００の支柱１２０を立設する。この基体１１０の形状は任意であり、回転可能な基体１１０であっても構わない。本発明のツリー型装飾装置１００は、人（子供等を想定している）が登れることを特徴とするので、ツリー本体だけでなく、当該子供の荷重を加味して上記基体１１０及び、支柱１２０を立設する。
【００１３】
上記のように、立設した支柱１２０周りに、以下のように床部材１２０を組み立てる。本実施例では、支柱１２０の上部、中間部、下部の３箇所に上記床部材１２０を組み立てる。
上記支柱の所定の個所に、床に水平にビーム１３１の一方端を取り付ける。その際、支柱１２０を上面視したとき、対称となる位置に、上記ビーム１３１を取り付ける。本実施例では、図２（Ｂ）に示すように、支柱１２０に取り付けた隣り合うビーム１３１間の角度が、９０度になるように、４本のビーム１３１を支柱１３１に取り付ける。そして、上記支柱１２０に取り付けたビーム１３１の他端を円環１３５で連結することで、床部材１３０の枠体を形成する。
【００１４】
上記のように形成される床部材１３０の枠体を支柱１２０の所定箇所（本実施例では、上部、中間部、下部の３箇所）に設置することになる。この際、支柱１２０に取り付けた上記複数の床部材１３０の枠体が全体として略円錐状となるように、各ビーム１３１、各円環１３５の大きさを決定する。なお、本実施の形態では、円環１３５を使用して床部材１３０を形成したが、床部材１３０の形状は円形状に限らず、矩形状、星状その他の形状でももちろん構わない。床部材１３０を多層に積層したとき、全体として錐体形になればよい。
【００１５】
上記のように、床部材１３０を支柱１２０に取り付けると、当該支柱１２０の上端付近から最下部の床部材１３０の円環１３５まで、斜め桟１４０を渡す。本実施例では、支柱１２０を上面視したとき、対称となる位置に８本の斜め桟１４０を取り付ける。
上記床部材の枠体に、図３に示すように、床板１３７を嵌める。図３（Ａ）は最上部の床部材１３０であり、図３（Ｂ）は中間部分の床部材１２０、そして、図３（Ｃ）が最下部の床部材１３０である。
【００１６】
円環１３５に嵌めこまれる床板１３７の数は、支柱１２０に取り付けたビーム１３１の本数で決定される。本実施例では、図３に示すように、支柱１２０に４本のビーム１３１を取り付けたので、円環１３５内には、４つの床板１３７を取り付けることが可能となる。本発明では、上記円環１３５内の４カ所の内、３箇所のみに床板１３７を取り付ける。すなわち、床板１３７を取り付けない部分が、ツリー型装飾装置１００各階への入口１３８となる。
【００１７】
図３は床部材１３０を上面視したものであり、積層する入口１３８が重ならないように上記各階への入口１３８を設ける。つまり、最下部の床部材１３０の入口１２８と、中間部分の床部材１３０の入口１２８が上面視したときに、互いに重ならないようになっている。中間部分と、最上部の床部材１３０の入口１２８同士も同様である。
床部材１３０に嵌めこまれる床板１３７は、どのようなものでも構わないが、本実施例では、ベニア板を複数枚重ねた部材（コンクリートパネル）の最上段にウレタンを積層した部材を使用する。上記ウレタン部分がツリー型装飾装置１００内に入ったユーザを保護するようになっている。
【００１８】
本実施例では、ツリー型装飾装置１００の各階の床部材１３０に登りやすくするために、各床部材１３０間に、図１に示すような補助具１５０を取り付けてもよい。ユーザは、当該補助具に手又は足をかけながら、徐々に上の段の床部材１３０まで登ることが可能となる。
上記のように構成されたツリー型装飾装置１００の外面は、透光性を有する外装部材で覆われる。外装部材の所定箇所には、所定の大きさの孔を形成する。例えば、縦横１０センチメートル程度の矩形状の孔を形成する。当該孔から、中に入ったユーザ（子供を想定している）が、顔を出すことが可能である。孔の形状は星型等任意の形状でよい。
【００１９】
本発明のツリー型装飾装置１００の支柱１２０、床部材１３０、斜め桟１４０は、以下のように装飾される。まず、各部材を所定の衝撃吸収材で被覆する。この衝撃吸収材は、上記支柱１２０等にウレタン等の発泡体を被覆する。例えば、中級円筒の衝撃吸収材の一方側面を切断することで、棒状の表面に被覆可能な形状にする。そして、衝撃吸収材をツリー型装飾装置１００の一部（装置すべてでもよく、支柱等ユーザが接触することが予想される部分でもよい。）に被覆した後、当該衝撃吸収材の表面に、ゴム樹脂を塗布することで、衝撃吸収材の表面を撥水加工する。もちろん、ゴム樹脂を塗布する際に、上記衝撃吸収材の側面（切断した部分）も閉じられることになる。なお、上記衝撃吸収材は、ウレタン以外の組成物であってもよく、ポリエチレン等の発泡体等の衝撃吸収材が好適に用いられる。
【００２０】
上記のように、ゴム樹脂を塗布した衝撃吸収材に、ＬＥＤ等の装飾具を取り付けることになる。例えば、上記ＬＥＤを複数備えたＬＥＤリボンを上記衝撃吸収材に巻きつける、あるいは、挟むことで、ツリー型装飾装置１００を装飾することが可能となる。
ツリー型装飾装置１００の内部も同じように、装飾することができる。本発明のツリー型装飾装置１００は、ユーザが内部の床部材１３０に登ることを想定しているので、内部も外側と同じように、上記装飾具を取り付けることになる。
【００２１】
上記ツリー型装飾装置１００は、基体１１０部分が回転する構成を採用することができる。図４を参照して、上記基体１１０の構成を説明する。
上記基体１１０の回転機構としては、支持体１１１上に駆動モータ１１２を支持させるような構成を採用することができる。上記駆動モータ１１２は、後述のトルクリミッタ１１３及び、スリップリング１１６を介して、回転板１１７を回転する構成となっている。
【００２２】
駆動モータ１１２の出力軸（回転軸）と回転板１１７との間には過剰なトルクから駆動モータ１１２を保護するトルクリミッタ１１３と、回転トルクを検出するトルクセンサ１１５とが設けられている。なお、トルクセンサ１１５としては、接触式のトルクセンサ１１５を用いてもよく、あるいはまた非接触式のトルクセンサ１１５を用いるようにしてもよい。上記トルクセンサ１１５によって検出されるトルクが予想範囲を外れた場合には、トルクリミッタ１１３により、駆動モータ１１２からの回転動力が回転板１１７に伝達されないようになっている。
【００２３】
更に、基体１１０にはスリップリング１１６が付設されており、このスリップリング１１６によってツリー型装飾装置１００の電飾部材（例えば、装置外面に設けられるＬＥＤリボン）に電力を供給するようにしている。
上記駆動モータ１１２は図示しない制御部によって回転数が制御されるように構成されてもよい。制御部には、予め最適な回転数を記憶しており、当該回転数に基いて駆動モータ１１２を介して回転板１１７が回転駆動される。
（その他）
図５，６は、本発明のツリー型装飾装置１００の使用状態を示す図である。図５は内部に子供等のユーザが入っている様子を示している。このように、本発明のツリー型装飾装置１００を使用することで、イベント等の雰囲気を盛り上げることが可能となる。
【産業上の利用可能性】
【００２４】
本発明を使用すると、装置本体に設けた入口から、ツリー型装飾装置に登ることができる。イベント等で本発明のツリー型装飾装置を使用することにより、大変、美麗であり、イベントの雰囲気が華やかに盛り上がり、サービス業の発展を確立し、かつ寄与する点で産業上の利用可能性を有する。
【符号の説明】
【００２５】
１００  ツリー型装飾装置
１１０  基体
１１１  支持体
１１２  駆動モータ
１１３  トルクリミッタ
１１５  トルクセンサ
１１６  スリップリング
１１７  回転板
１２０  支柱
１３０  床部材
１３１  ビーム
１３５  円環
１４０  斜め桟
１５０  補助具
【図１】
0005448734.tif 000002
【図２】
0005448734.tif 000003
【図３】
0005448734.tif 000004
【図４】
0005448734.tif 000005
【図５】
0005448734.tif 000006
【図６】
0005448734.tif 000007